(57)【要約】      （修正有）【課題】調理器具として使用可能な鍋蓋としての機能を備えた蒸し器を提供する。【解決手段】蒸し器は、所定の調理器具の上に置かれ、第一の貫通孔２２が形成された下蓋２と、下蓋２の上かつ第一の貫通孔２２を覆って配置される第二の貫通孔３１が形成された皿３と、皿３を囲繞可能かつ下蓋２との間に所定の間隙を持って配置される上蓋４が設けられており、鍋蓋としても兼用可能である。【選択図】図１
0003220080.tif 000002
【実用新案登録請求の範囲】
【請求項１】
フライパンや鍋等の調理器具上に置かれ、正円状を成した厚みを持った円盤の中心部に第一の貫通孔が形成された下蓋と、前記下蓋の上方に第一の貫通孔を覆って配置されるとともに第二の貫通孔が形成された食材が載置される皿と、前記皿を囲い込むことが出来、かつ前記下蓋の上方に配置される上蓋が設けられていることを特徴とする蒸し器。
【請求項２】
請求項１の蒸し器において、前記上蓋を垂直軸中心に回転させると前記下蓋と結合状態になり、前記上蓋を垂直軸中心に前記回転方向と逆に回転させると非結合状態となることを特徴とする蒸し器。
【請求項３】
請求項１または請求項２の蒸し器において、前記下蓋と上蓋外縁との間に蒸気通過可能な間隙を有し、または上蓋の一部に蒸気通過可能な第三の貫通孔を備えていることを特徴とする蒸し器。
【請求項４】
請求項１または請求項２または請求項３の蒸し器において、前記下蓋に形成される第一の貫通孔の形成位置を下蓋外縁より上方とし、かつ第一の貫通孔がより上方であるほど前記第一の貫通孔の直径が小さくなることを特徴とする蒸し器。
【考案の詳細な説明】
【技術分野】
【０００１】  本考案は、蒸し器、詳しくは鍋蓋として兼用可能である蒸し器に関する。
【背景技術】
【０００２】（１）従来から蒸し器は蒸し調理の際、鍋内に水を張った状態で調理対象とする食材を入れた状態で使用され、蒸し調理用として鍋内または鍋開口部に設置できる形状を有し、かつ複数の孔を有した薄板状または凹形状を備える蒸し調理用器具が用いられる。
（２）従来から所定の調理器具、例えば鍋やフライパン等による調理の際、より効率よく食材に熱を通すことや吹きこぼれ等防止を目的として鍋蓋が使用されている。一般的には鍋開口部の直径と同じ径のもの、または鍋蓋外縁下面において放射方向に一定間隔で段差を備えており、使用する調理用器具の開口部直径により大きくズレが生じないような構造を備えるものが用いられる。
【考案の概要】
【考案が解決しようとする課題】
【０００３】  前記段落番号０００２に記載のように、従来、蒸し調理を行う際は蒸し調理機能を有した専用の調理器具を用いる必要があり、蒸し調理機能を有していない調理器具を使用し蒸し調理および焼く・煮る等の調理を同時に行う場合は、蒸し調理可能な調理器具とその他の調理器具の２つ以上の調理器具を用い、２つ以上の熱源にて調理を行うか、または外付けの蒸し容器を、焼く・煮る等のその他の調理を行うフライパンや鍋の中に入れる等して、調理方法の違う２種類以上の食材が接触しないようにした上で調理を行う必要がある。本考案の調理器具は、前記蒸し調理とその他の調理を同一の調理器具で行う課題を解決するものである。
【課題を解決するための手段】
【０００４】  本考案においては、フライパンや鍋等の調理器具上に置かれ、正円状を成した中心部に第一の貫通孔が形成された下蓋と、前記下蓋の上方に第一の貫通孔を覆って配置されるとともに第二の貫通孔が形成された食材が載置される皿と、前記皿を囲い込むことが出来、かつ前記下蓋の上方に配置される上蓋が設けられていることを特徴とする。【０００５】  請求項２記載の本考案に係る蒸し器は、請求項１の蒸し器において、前記上蓋を垂直軸中心に回転させると前記下蓋と結合状態になり、前記上蓋を垂直軸中心に前記回転方向と逆に回転させると非結合状態となることを特徴とする。【０００６】  請求項３記載の本考案に係る蒸し器は、請求項１または請求項２の蒸し器において、前記下蓋と上蓋外縁との間に蒸気通過可能な間隙を有し、または上蓋の一部に蒸気通過可能な第三の貫通孔を備えていることを特徴とする。【０００７】  請求項４記載の本考案に係る蒸し器は、請求項１または請求項２または請求項３の蒸し器において、前記下蓋に形成される第一の貫通孔の形成位置を下蓋外縁より上方とし、かつ第一の貫通孔がより上方であるほど前記第一の貫通孔の直径が小さくなることを特徴とする。
【考案の効果】
【０００８】  本考案に係る蒸し器によれば、蒸し専用調理器具を必要とせず、鍋およびフライパン等による焼く、煮る、茹でる、炒める等の調理時に鍋蓋として使用しながら、蒸し調理が可能となる。さらには、熱源を同じくして同時に二つ以上の食材調理が可能となることため、調理時間の短縮や熱源となる電気やガスの使用量の低減等、環境に配慮した効果も見込める。
【図面の簡単な説明】
【０００９】
【図１】  本考案の一実施形態に係る蒸し器の構成斜視図である。
【図２】  本考案の一実施形態に係る蒸し器の使用例を示した斜視図である。
【図３】  本考案の一実施形態に係る蒸し器上蓋における取手形状例を示した斜視図である。
【図４】  本考案の一実施形態に係る蒸し器上蓋における取手形状例を示した立面図である。
【図５】  本考案の一実施形態に係る蒸し器下蓋の形状例（ａ〜ｄ）を示した断面図である。
【図６】  本考案の一実施形態に係る蒸し器の皿形状例（ａ〜ｄ）を示した斜視図である。
【図７】  本考案の一実施形態に係る蒸し器の上蓋立設脚の形状例を示した斜視図である。
【図８】  本考案の一実施形態に係る蒸し器の上蓋立設脚を用い前記蒸し器の立設使用例を示した立面図である。
【図９】  本考案の一実施形態に係る蒸し器の上蓋と下蓋の結合例（ａ〜ｅ）を示した立面図および固定部の断面図である。
【考案を実施するための形態】
【００１０】  以下、本考案の蒸し器を、図面を参照して説明するが、本考案は下記の具体的な実施例に何等限定されるものではない。図１は本考案の一実施形態に係る蒸し器を示す。
【００１１】（構成）
本考案の一実施形態に係る蒸し器は、図２に示すように、フライパン５の上に置かれ、図１に示すように、正円状を成した厚みを持った円盤の中心部に第一の貫通孔が形成された下蓋２と、前記下蓋の上方に第一の貫通孔を覆って配置されるとともに第二の貫通孔が形成された食材が載置される皿３と、前記皿を囲い込むことが出来、かつ前記下蓋の上方に配置される上蓋４にて構成される。
【００１２】（下蓋２の構造・形状）
（い）本考案の一実施形態に係る蒸し器１を構成する下蓋２は、図１に示すように、正円状の厚みを持った円盤であることが好ましい。前記下蓋２を構成する要素は、図２に示すように、フライパン５の上縁部に下面が接触する外周部２１と、前記正円状の厚みを持った円盤と中心を同じくする第一の貫通孔２２と、前記外周部２１の下面に直径の異なる正円状の半径方向に備えられた段差２３と、下蓋２と上蓋４とを結合状態にせしめる構造または治具２４を備える。
（ろ）本考案の一実施形態に係る蒸し器１を構成する下蓋２の形状は、図５に示すように、前記下蓋２に形成される第一の貫通孔２２の形成位置をフライパン上縁に接触する面と上下方向に同一面以下とする、あるいは前記下蓋２が上蓋４との接触面付近から第一の貫通孔２２側に円丘状に形成されていることを特徴とする。ただし、図５における下蓋２の形状は一例であり、下蓋２の形状を図５に示す形状に限定するものではない。
（は）前記外周部２１は、厚みを持つ円盤状を成しており、フライパン上縁部に接触する径を有するものとする。ただし、前記外周部の形状は円盤状であることを限定しない。
（に）前記第一の貫通孔２２は、本考案の一実施形態に係る皿３を設置可能とする径であることが好ましい。ただし、前記第一の貫通孔の数および径、貫通孔形状については用途等に応じる形状を成すものとし、前記記載の正円状であることに限定しない。
（ほ）前記段差２３は、フライパン上縁部に接触する前記外周部２１下面において、半径方向に径の異なる段差であり、段差部分が使用する調理器具の上縁内側に引っかかることにより、蒸し器１が調理器具上からズレたり、脱落しない構造を有していることを特徴とする。ただし、調理器具上から前記蒸し器１がズレる、または脱落しない構造は、前記段差の形状であることを限定しない。
（へ）前記下蓋２と上蓋４とを結合状態にせしめる構造または治具２４は、下蓋２と上蓋４を結合状態にて移送時に脱落しない形状をしていることとする。また、結合時に下蓋と上蓋外縁との間に蒸気通過可能な間隙を有していることが好ましい。ただし、前記下蓋２と上蓋４とを結合状態にせしめる構造または治具２４は図９に示す形状に限定しない。
（と）本考案の一実施形態に係る蒸し器１を構成する下蓋２は耐熱性を有しており、熱により容易に変形しえない素材にて形成されることが好ましい。
【００１３】（下蓋２の仕様）
本考案の一実施形態に係る下蓋２に備えられた第一の貫通孔２２においては、使用する者が外周部に触れることで切創等の怪我を負わぬように滑らかに加工等していることが好ましい。また前記下蓋２は、後述する上蓋４とを所定の間隙を持って固定可能な構造または治具２４を備えており、前述の固定可能な構造または治具は固定機能の他に下蓋２と上蓋４とを固定した状態で移動させる等の際に脱落しない等、安全面に配慮した形状であることが好ましい。また、下蓋２の外周直径は様々であるとし、第一の貫通孔２２や段差２３の直径は、下蓋２の外周直径に応じた直径を成しているものとする。
【００１４】（皿３の構造・形状）
（い）本考案の一実施形態に係る蒸し器１を構成する皿３は、図６に示すように、円盤状あるいは円錐台形を上下反転した薄板状を成しており、全面または面の一部に第二の貫通孔３１を有し、外周には下蓋２における第一の貫通孔２２を覆って配置されるための直径を有し、外縁部３２は接触する下蓋外周部２１の形状に咬合する形状を成しているものとする。また、前記皿３の外縁部３２の基端と中心から対称の位置にある一端には前記皿３を単独で移動せしめるための取手３３を備えることが望ましい。
（ろ）前記第２の貫通孔３１は、数、径、形状について図６（ａ）〜（ｄ）に示す形状に限らないものとする。
（は）図６（ａ）に示す皿３の形状は、円盤状の薄板状であり、皿面全体に第２の貫通孔を備えていることでフライパンから発生する蒸気が全体から上方に抜けることを特徴とする。
（に）図６（ｂ）に示す皿３の形状は、円盤状の薄板状であり、皿面外周に第２の貫通孔を備えていることで、水分を発する食材等を調理する際に発生した水分をフライパンまで落下させないことを特徴とする。
（ほ）図６（ｃ）に示す皿３の形状は、円錐台形を上下反転した薄板状を成しており、外縁部付近に第２の貫通孔を備えていることで、水分を発する食材等を調理する際に発生した水分をフライパンまで落下させないことに加え、煮物のような調味料に漬け込む調理を可能とする形状を成していることを特徴とする。
（へ）図６（ｄ）に示す皿３の形状は、円錐台形を上下反転した薄板状を成しており、食材を図６（ａ）、（ｂ）の皿形状に比べて食材を多く載積することが出来、中心部付近に第２の貫通孔を備えていることで、載積した食材に、フライパンから発生した蒸気が直接当たることで加熱時間の短縮が見込めることを特徴とする。
【００１５】（皿３の仕様）
（い）前記皿３は調理対象となる食材の大きさや調理方法によって選択出来る形状かつ水平面等に接地する下部については単体で立設可能となるような平担部をそれぞれ有しており、前記第二の貫通孔３１の設置個数や直径は食材が落下せず、蒸気を通過させる大きさであることが望ましい。
（ろ）前記皿３は耐熱性を有した薄板状を成しており、使用時の熱により歪曲しない素材等を用いられることが好ましい。また、外縁部３２には外側に使用前後の皿３を移動等させる際に取手としての役割を持った前記薄板状と同じ厚みを有した先端に遮熱性の素材を有した突起部を備えることが望ましい。
（は）前記取手３３は、本考案に係る下蓋２と上蓋４の結合の支障にならない形状および厚みであることが好ましく、前記下蓋２の固定部２４および前記下蓋４の固定部４３の支障にならない箇所に設置することが好ましい。ただし、取手３３を固定治具として使用する場合はその限りではない。
（に）本考案の一実施形態に係る蒸し器１を構成する皿３は、下蓋２における第一の貫通孔２２に設置することを基本とするが、第一の貫通孔２２を複数にすることで皿３と下蓋２を分離出来ない構造、すなわち下蓋２が皿３の役割も合わせ持った形状であることも可能とする。
【００１６】（上蓋４の構造・形状）
（い）図１に示すように、上蓋４は内空を有した円錐台形または半球状を成した円蓋部４１と前記円蓋部４１の天面部または基端部に設置された直線部または湾曲部にて形成された取手４２および下蓋との結合の際に固定機能を持つ固定部４３にて構成されており、円蓋部の外縁と段落番号０００９で前記した下蓋２との接触部には所定の間隙を有するものとする。
（ろ）前記円蓋部４１は、円錐台形または半球状であることが好ましい。ただし、形状については図３に示す限りではない。
（は）前記取手４２は、人が手もしくはなんらかの道具を使用し、容易に保持、移送可能である形状、厚みとし、取り付け位置については上蓋４または下蓋２の設置可能である箇所は全て対象とする。
（に）固定部４３は、図１に示すように、円蓋部４１の外縁部付近には前記下蓋２との間に間隙をもたせ、下蓋２と固定することで本考案に係る蒸し器１を鍋蓋として使用可能とするための形状を成していることが好ましい。
【００１７】（円蓋部４１の仕様）
固定部４３の形状は、固定部４３の形状は使用する者が切創等の怪我を負うような極端な凹凸形状でないこと、円蓋部４１と同じ材質であることが望ましい。また、上蓋４の円蓋部４１の天面部に内空を可視可能なガラスやアクリル等の素材を用いることが好ましい。また内空の容積に係る円蓋部４１の下蓋２接触部から天面までの高さは調理対象となる食材の大きさや調理方法によって様々であることが望ましい。
【００１８】（取手４２の仕様１）
図６に示すように、取手４２は使用時に熱源より上方に位置することから耐熱性および遮熱性を有した材料によって形成されることが望ましい。前記取手４２の取り付け位置は上蓋４の円蓋部４１の天面もしくは円蓋部４１の基端部に取り付けられることを基本とする。また前記取手４２に下蓋２と上蓋４との固定機能を付する場合は取手内部に固定機能を備えることとし、取手外面には固定機能を作動させるための押下部等の治具または機構を備えることが望ましい。
【００１９】（取手４２の仕様２）
取手４２において図７のように下蓋２と上蓋４を結合して使用する際に蒸し器１を水平面上に立設可能とする立設時に支点となる脚を設けることが望ましい。また、前記脚は取手と同じ素材とすることが望ましい。
【００２０】（上蓋４と下蓋２の結合）
図９に示すように、上蓋４に備えられた固定部４３と下蓋２に備えられた固定２４は、間隙を有するように結合出来ることが望ましい。また固定部は前記間隙を有するように結合出来る形状を成していれば、図９に示した形状に限らないこととする。なお取り扱う者が操作することで結合される機構を備えている場合は、機構に応じた固定部形状を成していることとする。前記固定部形状は、取り扱う者が切創等の怪我を負わないよう安全に配慮した形状であることが望ましい。
【００２１】（固定部４３の効果）
前記下蓋２と上蓋４の間に設けられる所定の間隙を設けるための固定部４３について後記する効果が見込める。
（い）蒸し調理において、所定の間隙を設けることで、間隙から上蓋４の内空へ外気が流れ込み内空における蒸気の対流を促し、蒸し調理をしている食材のみならず、所定の調理器具５における調理時間の短縮につながることが予測される。
（ろ）鍋蓋としての使用において、所定の間隙を設けることで、所定の調理器具５にて調理中の蒸気排出口としての役割を持つため、調理器具内の圧力調整効果や吹きこぼれ等の抑制効果が見込める。
（は）鍋蓋としての使用において、所定の間隙を設けることで、所定の調理器具５にて油を用いた調理等において蒸気を逃がしつつ調理出来るため、調理途中で鍋蓋を開けた際に発生する油や水滴の飛び跳ねを抑制する効果が見込める。
【００２２】（固定部の説明）
（１）固定部について、図９（ｂ）のように、上蓋４の固定部４３の直下に下蓋２の固定部２４が来るように水平方向に回転させる。
（２）図９（ｃ）のように、前記固定部４３の先端に配置された中心方向を向いた突起部を、前記２４に形成された切欠状の溝まで降下、接触させる。
（３）図９（ｄ）のように、前記上蓋を水平方向時計回りに回転させることで、前記固定部４３の先端に配置された中心方向に突出した突起部を下蓋２の固定部２４に形成された溝末端まで移動させる。
（４）図９（ｅ）のように、上蓋４を持ち上げることでそれぞれの固定部先端にある突起部が咬合し、固定される。
なお、固定部の形状は図９に示す限りではない。
【符号の説明】
【００２２】  １    蒸し器
２    下蓋
３    皿
４    上蓋
５    所定の調理器具（本考案に係る明細書ではフライパンを例とする）
２１    下蓋外周部
２２    下蓋第一貫通孔
２３    下蓋下面段差
２４    固定部
３１    皿第二貫通孔
３２    皿外縁部
３３    皿取手
４１    上蓋円蓋部
４２    上蓋取手
４３    固定部
４４    上蓋立設脚
【図１】
0003220080.tif 000003
【図２】
0003220080.tif 000004
【図３】
0003220080.tif 000005
【図４】
0003220080.tif 000006
【図５】
0003220080.tif 000007
【図６】
0003220080.tif 000008
【図７】
0003220080.tif 000009
【図８】
0003220080.tif 000010
【図９】
0003220080.tif 000011